【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
記録媒体からコンテンツを再生する再生手段と、
ユーザからの指示を受け付ける受付手段と、
前記ユーザを認識する認識手段と、
前記認識手段により認識されたユーザからの指示に応じて、前記認識されたユーザによる前記コンテンツの視聴予定を設定する設定手段と、
複数の前記ユーザがそれぞれ前記コンテンツの視聴を予定しているか否かを識別するための視聴予定情報を含む、前記コンテンツに関する管理情報を生成する手段であって、前記設定手段による設定結果に応じて前記視聴予定情報を設定する管理情報処理手段と、
前記認識手段により認識された所定のユーザからのコンテンツの削除指示に応じて、前記記録媒体から前記削除指示されたコンテンツを削除する削除手段と、
前記削除指示されたコンテンツに関する前記視聴予定情報に基づいて、前記削除手段を制御する制御手段とを備え、
前記制御手段は、前記削除指示されたコンテンツに関する前記視聴予定情報に基づいて、前記所定のユーザ以外のユーザが前記削除指示されたコンテンツの視聴を予定していると判別した場合、前記削除指示されたコンテンツを削除しないように制御することを特徴とする再生装置。
【請求項２】
前記管理情報処理手段は、前記記録媒体に記録された複数の前記コンテンツのそれぞれについて、前記管理情報を生成することを特徴とする請求項１に記載の再生装置。
【請求項３】
前記管理情報処理手段は、前記設定手段により視聴予定が設定された場合に前記認識されたユーザが前記コンテンツを視聴する予定であることを示すように前記視聴予定情報を設定し、視聴予定が設定されない場合に前記認識されたユーザが前記コンテンツを視聴する予定ではないことを示すように前記視聴予定情報を設定することを特徴とする請求項１に記載の再生装置。
【請求項４】
前記制御手段は、前記認識手段により認識されたユーザからの再生停止指示に応じて、前記記録媒体からのコンテンツの再生を停止するように前記再生手段を制御するとともに、前記認識されたユーザが前記再生を停止したコンテンツを視聴する予定ではないことを示すように、前記再生を停止したコンテンツに関する前記視聴予定情報を自動的に設定することを特徴とする請求項１に記載の再生装置。
【請求項５】
前記制御手段は、前記認識手段により認識されたユーザからの再生停止指示に応じて、前記記録媒体からのコンテンツの再生を停止するように前記再生手段を制御するとともに、前記再生を停止したコンテンツの視聴予定をありにするか否かを問い合わせることを特徴とする請求項１に記載の再生装置。
【請求項６】
前記コンテンツは、動画データ、静止画データ、及び音声データの何れかを含むことを特徴とする請求項１に記載の再生装置。
【請求項７】
記録媒体からコンテンツを再生するステップと、
ユーザからの指示を受け付けるステップと、
前記ユーザを認識するステップと、
前記認識されたユーザからの指示に応じて、前記認識されたユーザによる前記コンテンツの視聴予定を設定するステップと、
複数の前記ユーザがそれぞれ前記コンテンツの視聴を予定しているか否かを識別するための視聴予定情報を含む、前記コンテンツに関する管理情報を生成し、前記視聴予定の設定結果に応じて前記視聴予定情報を設定するステップと、
前記認識された所定のユーザからのコンテンツの削除指示に応じて、前記記録媒体から前記削除指示されたコンテンツを削除するステップと、
前記削除指示されたコンテンツに関する前記視聴予定情報に基づいて、前記コンテンツの削除を制御するステップとを備え、
前記削除を制御するステップでは、前記削除指示されたコンテンツに関する前記視聴予定情報に基づいて、前記所定のユーザ以外のユーザが前記削除指示されたコンテンツの視聴を予定していると判別した場合、前記削除指示されたコンテンツを削除しないように制御することを特徴とする再生方法。
【手続補正２】
【補正対象書類名】明細書
【補正対象項目名】発明の名称
【補正方法】変更
【補正の内容】
【発明の名称】再生装置および再生方法
【手続補正３】
【補正対象書類名】明細書
【補正対象項目名】０００６
【補正方法】変更
【補正の内容】
【０００６】
上記解題を解決し、目的を達成するために、本発明の再生装置は、記録媒体からコンテンツを再生する再生手段と、ユーザからの指示を受け付ける受付手段と、前記ユーザを認識する認識手段と、前記認識手段により認識されたユーザからの指示に応じて、前記認識されたユーザによる前記コンテンツの視聴予定を設定する設定手段と、複数の前記ユーザがそれぞれ前記コンテンツの視聴を予定しているか否かを識別するための視聴予定情報を含む、前記コンテンツに関する管理情報を生成する手段であって、前記設定手段による設定結果に応じて前記視聴予定情報を設定する管理情報処理手段と、前記認識手段により認識された所定のユーザからのコンテンツの削除指示に応じて、前記記録媒体から前記削除指示されたコンテンツを削除する削除手段と、前記削除指示されたコンテンツに関する前記視聴予定情報に基づいて、前記削除手段を制御する制御手段とを備え、前記制御手段は、前記削除指示されたコンテンツに関する前記視聴予定情報に基づいて、前記所定のユーザ以外のユーザが前記削除指示されたコンテンツの視聴を予定していると判別した場合、前記削除指示されたコンテンツを削除しないように制御する。
【手続補正４】
【補正対象書類名】明細書
【補正対象項目名】００２５
【補正方法】変更
【補正の内容】
【００２５】
このように動画の再生中、制御部１０８は再生開始位置と再生停止位置、及び、再生日時の各情報を生成して記憶部１０７に記憶する。そして、制御部１０８は、ＵＩ１０９より再生停止の指示があると（Ｓ７０３）、記録再生部１０５に対し、動画の再生を停止するように制御指令を送出する（Ｓ７０４）。そして、制御部１０８は、記憶部１０７に記憶されていた再生開始位置、再生停止位置、及び再生日時の各情報、及び、Ｓ７０１で認識されたユーザの顔情報に基づいて、直前に再生された動画ファイルの再生履歴情報を更新する（Ｓ７０５）。即ち、制御部１０８は、指定された動画ファイルの履歴情報４０４を記憶部１０７から検出し、Ｓ７０１で認識した各ユーザの顔情報と登録済みユーザの顔情報とを比較して、登録済みユーザのユーザ名を検出する。制御部１０８は、動画ファイルの履歴情報に、検出されたユーザの履歴情報が格納されているか否か判定する。そして、検出されたユーザの履歴情報が格納されていた場合、制御部１０８は、再生開始位置、停止位置、及び再生日時の情報に基づき、記憶部１０７に記憶されている、対応するユーザの履歴情報の内容を更新する。また、検出されたユーザの履歴情報が格納されていなかった場合には、新たにこのユーザの履歴情報を作成し、記憶部１０７に記憶する。
【手続補正５】
【補正対象書類名】明細書
【補正対象項目名】００３９
【補正方法】変更
【補正の内容】
【００３９】
動画の再生を開始した後、制御部１０８は、ＵＩ１０９から削除指示があったか否か判定する（Ｓ５０５）。削除指示がない場合、制御部１０８は、再生停止指示があったか否か判定する（Ｓ５０６）。再生停止指示があると、制御部１０８は、記録再生部１０５による動画の再生を停止し、動画の表示及び再生履歴情報の表示も停止する（Ｓ５０７）。また、再生停止の指示がない場合には、制御部１０８は、動画の最後まで再生したか否か判定する（Ｓ５０８）。動画を最後まで再生すると、制御部１０８は、記録再生部１０５による動画の再生を停止し、動画の表示及び再生履歴情報の表示も停止する（Ｓ５０７）。また、最後まで再生していない場合には、Ｓ５０４に戻る。
【手続補正６】
【補正対象書類名】明細書
【補正対象項目名】００４４
【補正方法】変更
【補正の内容】
【００４４】
再生履歴情報の表示領域３０２には、認識された各ユーザ、ここでは視聴者Ａ、Ｂ、Ｃのユーザ名３０５が表示される。また、再生中の静止画とその前後に再生される静止画の再生履歴３０４が表示されている。再生履歴３０４には各静止画に対応した複数のアイコン３０４ａ、３０４ｂ、３０４ｃが表示される。アイコン３０４ａは再生済みの静止画を示し、アイコン３０４ｂは未再生の静止画を示す。再生済みの静止画を示すアイコン３０４ａと未再生の静止画を示すアイコン３０４ｂは異なる色、或いは、形状で識別可能に表示される。また、斜線で示すアイコン３０４ｃは、複数のユーザが一緒に再生画面を見ている状態で再生された静止画を示している。また、各ユーザの再生履歴３０４において、上下に同じ位置に表示されたアイコンは、同じ静止画を示している。また、インジケータ３０６は、再生中の静止画における再生位置を示している。図３では、制御部１０８は、現在再生中の静止画の前後４画面の静止画に関する再生履歴を表示させるようにしたが、もっと多くの静止画の再生履歴を表示してもよい。また、本実施形態では、静止画の記録日時の順に各静止画のアイコンを並べて表示したが、記録日時以外の条件に従って並べるようにしてもよい。
【手続補正７】
【補正対象書類名】明細書
【補正対象項目名】００４９
【補正方法】変更
【補正の内容】
【００４９】
また、Ｓ６０５で削除指示があると、制御部１０８は、Ｓ６０１と同様、視聴中のユーザの顔認識処理を実行する（Ｓ６１１）。そして、制御部１０８は、再生中の静止画の履歴情報に格納された各ユーザの視聴予定情報に基づいて、視聴予定のユーザを検出する（Ｓ６１２）。次に、制御部１０８は、Ｓ６１１で認識されたユーザと視聴予定のユーザとを比較し、未視聴のユーザを検出する。ここでは、視聴予定のユーザのうち、Ｓ６１１で認識されたユーザ以外のユーザを未視聴のユーザとして検出する。そして、制御部１０８は、未視聴のユーザがいるか否か判定し（Ｓ６１４）、未視聴のユーザがいない場合には、記録再生部１０５を制御して、静止画の再生を停止し、再生中の静止画ファイルを記録媒体１０６から削除する（Ｓ６１５）。また、制御部１０８は、削除された静止画ファイルに対応した履歴情報を記憶部１０７から削除する。そして、制御部１０８は、次の静止画を選択し（Ｓ６１６）、再生対象の静止画の変更に応じて再生履歴の表示を変更し、Ｓ６０４に戻り、記録再生部１０５に対し、指定された静止画ファイルを再生するように制御指令を送出する（Ｓ６１７）。また、Ｓ６１４で未視聴のユーザがいた場合、制御部１０８は、再生中の静止画の削除を禁止する。そして、制御部１０８は、表示制御部１１０を制御して、未視聴のユーザがいるため削除できない旨を示す警告情報を表示部１１１に表示させる（Ｓ６１８）。
【手続補正８】
【補正対象書類名】明細書
【補正対象項目名】００５４
【補正方法】変更
【補正の内容】
【００５４】
また、図７の処理においても、再生中にユーザが変更したことを検出し、ユーザの変更を検出するごとに再生履歴の情報を更新するようにしてもよい。
【手続補正９】
【補正対象書類名】図面
【補正対象項目名】図６
【補正方法】変更
【補正の内容】
【図６】
2013037732.tif 000001
【手続補正１０】
【補正対象書類名】図面
【補正対象項目名】図８
【補正方法】変更
【補正の内容】
【図８】
2013037732.tif 000002